(57)【要約】【課題】金具自体の嵩張りがなく、また金具製造が簡単であり、垂木及び天井根太の立設材への固定が確実にでき且つ作業性が良く、更には、垂木の横倒などを十分に防止した木造建築用金具を提供すること。【解決手段】本発明に係る建築用金具は立設材の上面に当接する基底板と、基底板から下方に向けて立設され、且つ立設材の両側面に当接され、立設材に対して天井根太及び／又は天井根太の長手方向のずれを規制する一対の規制板と、基底板から上方に向けて立設され、且つ天井根太及び垂木の少なくとも一方の両側面に当接され、天井根太及び垂木の少なくとも一方の横倒を防止する一対の横倒防止板とを有してなることを特徴とする。【選択図】      図１
2004316174.tif 000002
【特許請求の範囲】
【請求項１】
立設される柱、或いは壁などの立設材に直接、或いは頭つなぎ、上枠、横梁等を介してその上面に取り付けられる天井根太及び垂木の少なくとも一方に使用する建築用金具において、
上記金具本体は上記立設材の上面に当接する基底板と、上記基底板から下方に向けて立設され、且つ上記立設材の両側面に当接され、上記立設材に対して上記天井根又は垂木の長手方向のずれを規制する一対の規制板と、基底板から上方に向けて立設され、且つ上記天井根太又は垂木の側面に当接され、上記天井根太及び垂木の少なくとも一方の横倒を防止する一対の横倒防止板とを有してなることを特徴とする建築用金具。
【請求項２】
上記上面と接する基底板面には切り欠きがなされ、また、上記立設材の上面の上方部分に設けられる横倒防止板の一部が切り欠きされるか、或いは上記横倒防止板を上記上面の上方からずらして立設させ、上記天井根太及び垂木の少なくとも一方の側壁面からその根太又は垂木、更には上記基底板の切り欠きを通して上記立設材に向けて釘材の斜め打込みが可能となっていることを特徴とする請求項１記載の建築用金具。
【請求項３】
上記金具本体は一枚の板を折り曲げて形成され、且つ上記天井根太及び垂木の少なくとも一方の長手方向に沿って、且つその幅とほぼ同程度幅に成形されていることを特徴とする請求項１記載の建築用金具。
【請求項４】
上記金具本体は一枚の板を折り曲げて形成され、上記基底板の切り欠き部分が規制板となることを特徴とする請求項２記載の建築用金具。
【発明の詳細な説明】
【０００１】
【発明の属する技術分野】
本発明は、建築用金具に関するものであり、より詳細には、立設される柱、或いは壁などの立設材に直接、或いは頭つなぎ、横梁等を介してその上面に取り付けられる天井根太及び垂木の少なくとも一方に使用する建築用金具に関するものである。
【０００２】
【従来の技術】
枠組壁工法建築物、たとえば木造住宅の枠組み工法は、一般に断面が２インチ×４インチの材を用いて柱や枠組壁材を構成するものである。このような工法による建物は、比較的低コストで自由な形状に構築でき且つ優れた耐力を発揮し得ることから広く普及している。また、このような工法では、構造材を構成する木材の断面寸法の種類が少なくて済むのでコストが安くなるという利点がある。更に、このような材を用いて柱や間柱等を構成することから、このような木造住宅の枠組み工法はツーバイフォー工法と称されている。
また、このような枠組壁工法建築物の天井部構造にあっては、立設材、例えば柱、間柱、外壁等が立設され、それらの上面には天井根太及び垂木が一般に取り付けられる。これらの根太等は立設材に直接、或いは、上枠、横梁、頭つなぎ等を介してその上面に配置され釘等で固定される。
【０００３】
図４は従来の天井部構造を示すものである。垂木７１は所定間隔を置いて、むなぎ板７２に釘７７によって取り付けられ、釘７７は斜め打ちがなされている（図４（ａ）参照）。また、垂木７１の別の端部は外壁７３面とほぼ直角に交差して外壁７３の上面から更に延在され、その上面に直接又は上枠７４、或いは頭つなぎ７５を介して固定される。通常、垂木７１は一部顎欠きがされ、その顎欠き部７１ａは頭つなぎ７５の上面に当接する受け部となっている。
一方、天井根太７６は上記上枠７４間等にほぼ水平に架け渡され、天井根太７６の両端部は頭つなぎ７５の上面に釘などの平打ちにより固定されている。
【０００４】
このような構造にあっては、先ず、天井根太７６が頭つなぎ７５の上面に配され、釘等の平打ち、場合によっては斜め打ちによってその上面に固定される。次に、垂木７１は天井根太７６とそれぞれの側壁を合わせて配され、また顎欠き部７１ａが頭つなぎ７５の上面にセットされる。そして、垂木７１の側面壁から釘７７の斜め打ちがなされて天井根太７６に固定されると共に、頭つなぎの上面に固定される。これにより、垂木７１が横倒しないようになっている。
【０００５】
しかしながら、従来の垂木７１を固定する方法では垂木７１の立ち幅がかなり広く、このため、そのころび止め、即ち、十分な横倒防止が必要とされる。この場合、垂木７１を天井根太７６で支持させたり、頭つなぎの位置にころび止めを設けたりするが、このような横倒防止処理をするには、天井根太７６及び垂木７１に十分な釘打ちを必要とし、その作業に手間がかかる。また、天井根太７６自身も頭つなぎ７５の上面での支持が十分でなく、垂木７１からの負担と相まって天井根太７６が地震などにより簡単に長手方向に外れてしまうおそれがある。
【０００６】
また、このような天井根太部分の構造では、垂木のアゴ欠きをするために、寸法出し及び欠き込み作業に手数と時間がかかること、また作業手間を省いて、頭つなぎの角に下端の１点しか載せていない施工がされること、天井根太を垂木の幅分ズラして施工する際、ズラした分の寸法が図面に表示されない為、現場での作業中にミス・ロスを発生させやすいこと等の理由から、従来から天井根太及び垂木用の建築用金具が提案されている（特許文献１等を参照。）。
【０００７】
従来の金具は図５（ａ）及び（ｂ）に示すように、竪材（波線で示す。）が釘打ちにより竪材（立設材）の取付部８１に固定される。頭つなぎの取付部８２、８３と頭つなぎの上面で釘打ちされる。天井根太・垂木（波線で示す。）が釘打ちされて垂木・天井根太取付部８４、８５に固定される。竪材取付部８１、頭つなぎ取付部８２、８３、及び垂木・天井根太取付部８４、８５は連結部８６と連結部８７を介して一体化されている。
このような構成にあっては、天井根太・垂木を垂木・天井根太取付部８２、８３によって横からの釘打ちをする事により、天井根太と垂木とを一緒にして取付部８２、８３に固定でき、垂木と天井根太が直線上で固定される。天井根太をずらす事も無く、従来のアゴ欠きの役割を天井根太の下水平部が果たすので、アゴ欠きの手間が不要となとしている。
【０００８】
【特許文献１】
特開平１１−３１５６０９号公報
【０００９】
【発明が解決しようとする課題】
しかしながら、このような天井根太の部分の金具にあっては、垂木及び天井根太が垂木・天井根太取付部８４、８５の横孔の釘打ちによって固定されるが、直接頭つなぎの上面等にも固定されるものではない。このため、かかる横釘打ちが不十分であれば、他の部分との固定のない垂木及び天井根太はその長手方向のずれが生じやすくなる。また確実な横釘うちは現場では道具にもよるが一般に手間がかかる。
また、竪材取付部８１は連結部６等を介して連結されていること等から、地震などによる天井根太の長手方向の力に対して極めて弱いことが予測される。
【００１０】
また、垂木が天井根太の上面に更に配せられるため、金具の取付部８４、８５が設けられたとしても極めて横倒し易く、また、地震などにより横ぶれを受けると垂木が割れるおそれもある。また、このようなことから、幅広の頭つなぎの取付部８２、８３を必要とし、金具自体が嵩張ると共に、１枚のプレート成形による金具の製造が容易にできなくなる不具合などが見られる。
【００１１】
従って、本発明は、上記課題を解決するためになされたものであり、金具自体の嵩張りがなく、また金具製造が簡単であり、垂木及び天井根太の立設材への固定が確実にでき且つ作業性が良く、更には、垂木の横倒などを十分に防止した木造建築用金具を提供することにある。
【００１２】
【課題を解決するための手段】
本発明者等は、金具自身の嵩張りと垂木などの横倒防止が確実にできるためには、金属の矩形プレート基底板を基準に、対向する一対の辺に沿ってプレートの所定部分を下向きに折り曲げ、また、これらと直角をなす他の一対の一辺に沿ってプレートの所定部分を上向きに折り曲げるのみで、これらの折り曲げ部分が立設材に対する一対の規制板となること、及び垂木等の横倒防止板になることを見出すと共に、この成形金具が垂木又は天井根太の幅とほぼ同幅程度に揃えられることを見出し、本発明に至ったものである。
更に、立設材の上面が当接する基底板部分に上面が直接露出するように切り欠き、及び規制板と横倒板との位置を筋違いに設けることにより、金具に配置した天井根太や垂木に釘の斜め打ちができ、天井根太と垂木とを立設材に簡単且つ確実に固定できることを見出し、本発明に至ったものである。
【００１３】
即ち、本発明に係る建築用金具は、以下の構成或いは手段からなることを特徴とし、上記課題を解決するものである。
（１）立設される柱、或いは壁などの立設材に直接、或いは頭つなぎ、上枠、横梁等を介してその上面に取り付けられる天井根太及び垂木の少なくとも一方に使用する建築用金具において、上記金具本体は上記立設材の上面に当接する基底板と、上記基底板から下方に向けて立設され、且つ上記立設材の両側面に当接され、上記立設材に対して上記天井根太又は垂木の長手方向のずれを規制する一対の規制板と、基底板から上方に向けて立設され、且つ上記天井根太又は垂木の側面に当接され、上記天井根太及び垂木の少なくとも一方の横倒を防止する一対の横倒防止板とを有してなることを特徴とする建築用金具。
【００１４】
ここで、天井根太及び垂木の少なくとも一方とは、建築用金具における一対の横倒防止板の間に天井根太のみを配しても良く、また、垂木のみを配しても良く、更には天井根太と垂木とを並べて配しても良いことを意味する。尚、本発明において好ましくは、まず、天井根太をかかる一対の横倒防止板に配して確実に立設材に位置決め固定して、その後、垂木を天井根太に隣接させて天井根太を介して垂木が横倒しないように固定する構造とすることが好ましい。
【００１５】
（２）上記上面と接する基底板面には切り欠きがなされ、また、上記立設材の上面の上方部分に設けられる横倒防止板の一部が切り欠きされるか、或いは上記横倒防止板を上記上面の上方からずらして立設させ、上記天井根太及び垂木の少なくとも一方の側壁面からその根太又は垂木、更には上記基底板の切り欠きを通して上記立設材に向けて釘材の斜め打込みが可能となっていることを特徴とする上記（１）記載の建築用金具。
【００１６】
（３）上記金具本体は一枚の板を折り曲げて形成され、且つ上記天井根太及び垂木の少なくとも一方の長手方向に沿って、且つその幅とほぼ同程度幅に成形されていることを特徴とする上記（１）記載の建築用金具。
（４）上記金具本体は一枚の板を折り曲げて形成され、上記基底板の切り欠き部分が規制板となることを特徴とする上記（２）記載の建築用金具。
【００１７】
【発明の実施の形態】
以下、本発明に係る建築用金具の好ましいの実施形態を図面に基づいて説明する。尚、本発明に係る建築用金具は、以下の実施形態に限るものではない。
図１は本発明に係る建築用金具の底面方向から見た斜視図である。図２は本発明に係る建築用金具が使用される天井根太の取付部分の概略図である。図３は本発明に係る建築用金具が使用される天井根太の別の実施形態の取付部分の概略図である。図４（ａ）及び（ｂ）は従来の垂木及び天井根太の取付部分を示す斜視図である。図５（ａ）及び（ｂ）は従来の建築用金具の斜視図及びその金具が使用される天井根太の取付部分の概略図である。
【００１８】
図１及び図２に示すように、本実施形態の建築用金具１は、立設される外壁２などの立設材に直接、或いは頭つなぎ３及び上枠４を介してその上面３ａに取り付けられる天井根太５及び垂木６に用いる金具である。
尚、建築用金具１は外壁２に直接使用しても良く、また、立設材である柱などに直接取り付けて使用しても良い。また、外壁２或いは柱等に本実施形態のように頭つなぎ、上枠、横梁等の上面に使用しても良い。
【００１９】
建築用金具１の金具本体は大別して基底板１１と、一対の規制板１２、１２と、一対の横倒防止板１３、１３とからなる。基底板１１は頭つなぎ３の上面３ａに当接し、後述するように切り欠き窓１４が形成されている。
一対の規制板１２はそれぞれ基底板１１の一部が下方に向けてほぼ直角に折り曲げられ、互いに所定間隔（外壁等の厚み）開けて基底板１１から下方に立設して形成されている。一対の規制板１２は外壁２及び頭つなぎ３の側面３ｂに当接され、外壁２の上部を嵌装する。従って、建築用金具１は頭つなぎ３に固定されると、一対の規制板１２、１２によって天井根太５及び垂木６の長手方向にずれないように規制される。
【００２０】
一対の横倒防止板１３、１３はそれぞれの基底板１１の一部が上方に向けてほぼ直角に折り曲げられ、互いに所定間隔（天井根太等の幅）開けて基底板１１から上方に立設して形成されている。一対の横倒防止板１３は天井根太５の両側面５ｂに当接され、天井根太５の横ずれを防止するだけでなく、天井根太５に取付られる垂木６の横倒をも防止している。
【００２１】
尚、本実施形態では、天井根太５を頭つなぎ３の上面の所定位置に正確に固定するため、天井根太５を一対の横倒防止板１３に配している。そして、垂木６を天井根太５に隣接させて天井根太５を介して垂木６が横倒しないように固定する構造を採用している。
ここで、本実施形態以外に、一対の横倒防止板１３の間隔は天井根太５と垂木６の合計幅、或いは垂木幅としても良い。このような構造にあっては、建築用金具１で天井根太５及び垂木６を一緒に固定すること、或いは垂木６を積極的に固定することができる。
【００２２】
本実施形態の建築用金具１にあっては、上述したように外壁２の頭つなぎ３の上面３ａと接する基底板１１に矩形状の切り欠き窓１４が形成されている。またかかる基底板１１の上方部分に形成される横倒防止板１３は階段状に且つテーパ状に一部１６が切り欠きされている。
上記天井根太５側壁面５ａ及び垂木６の側壁面（図示せず。）からその根太５及び／又は垂木６、更には基底板１１の切り欠き窓１４を通して上面３ａに向けて釘材２３の傾斜打込みが可能となっている。
従って、天井根太５及び垂木６を外壁２の頭つなぎ３に釘などで直接固定することができる。尚、上記横倒防止板１３にあっては段階状に且つテーパ状の切り欠きを形成したが、本発明にあっては、上記横倒防止板１３を上記頭つなぎ３の上面３ａの上方から外して設けても良い。
【００２３】
また、本実施形態の建築用金具１にあっては、その金具本体は一枚の板を折り曲げて形成さている。また、折り曲げられた規制板１２の幅は固定される天井根太５の幅と同程度に形成される。このため、建築用金具１は天井根太５の長手方向においては、出っ張りなどがない状態で、金具幅は天井根太５幅とほぼ同程度となり嵩張りが生じないようになっている。
尚、本実施形態の建築用金具１にあっては、規制板１２は基底板１１の一部を単に折り曲げて形成したが、より好ましくは、規制板１２の少なくとも１枚は上述した窓１４の切り欠き部分を利用して折り曲げても良い。
更に、本実施形態の建築用金具１においては、基底板１１、規制板１２、及び横倒防止材１３の所定位置に複数の釘打ち孔１５が形成され、外壁２、頭つなぎ３及び天井根太５を釘打ちによって確実に固定できるようになっている。
【００２４】
次に、本実施形態の建築用金具１の簡単な使用方法を説明する。
先ず、建築用金具１を外壁２の所定位置に固定するために、外壁２における石膏ボード８を除く、合板９及び頭つなぎ３を覆うように一対の規制板１２を外壁２に取り付ける。そして、釘２１が基底板１１の釘打ち孔１５から打ち込まれ、また、釘２２が規制板１２の釘打ち孔１５から打ち込まれる。次に、天井根太５が、一対の横倒防止板１３間に配されて、釘が釘打ち孔１５に打ち込まれる。
更に、天井根太５の側壁面５ｂから釘２３が斜め打ちされ、上記窓１４を通って頭つなぎ３の上面に打ち込まれる。
尚、建築用金具１の横倒防止板１３の釘打ち孔１５を介して予め金具１が天井根太５に取り付けられた状態から作業をしても良い。
【００２５】
次に、天井根太５を頭つなぎ３の上面３ａに固定したのち、垂木６を天井根太５の側壁に沿わせて、その顎欠き部６ａを頭つなぎ３の上面３ａに正確に合わせて載置し、図示しないが垂木６の側壁面から釘を横打ち、及び斜め打ちして、天井根太５及び頭つなぎ３に固定する。
【００２６】
このような構成にあっては、建築用金具１は釘２１、２２を介して緊固に固定されるため、規制板１２が両面から外壁２に作用することにより、金具１に固定される天井根太及び垂木が地震など長手方向にずれことがない。従って、耐震性が増す。また、このような金具１で最初天井根太５の位置を決めることにより、天井根太５を正確な位置に取り付けることができる。このため、作業性が増し、釘など打ち込みも簡単にできる。
また、このような取付強度の高い天井根太５及び頭つなぎ３に正確に垂木６を取り付けることができるので、垂木６の横倒が防止され、耐震性もアップする。
【００２７】
尚、このような実施形態の建築用金具１にあっては、一枚の金属プレートから簡単に製造ができ、また、従来と異なり嵩張らない金具形態となっている。
【００２８】
更に、本発明にあっては、更なる耐震性をアップさせるために、天井根太或いは垂木の側面の一部に直接、ころび止め材をセットするために、金具１の横倒防止板を更に切り欠いてセット面を形成しておいても良い。
即ち、図３に示すように、ころび止め材のセット面３０ａを天井根太の側面５ｂに設けるため、横倒防止１３の一部１３ａが切り欠かれて、ころび止め材（図の紙面方向に端面を有する。）が設置し易いように形成することができる。これらは図示しない反対面にも設置することができる。これにより、天井根太５及び垂木６の取付における耐震強度をアップすることができる。
【００２９】
【発明の効果】
以上、説明したように本発明に係る建築用金具によれば、金具本体が立設材の上面に当接する基底板と、上記基底板から下方に向けて立設され、且つ上記立設材の両側面に当接され、上記立設材に対して天井根太及び／又は天井根太の長手方向のずれを規制する一対の規制板と、基底板から上方に向けて立設され、且つ天井根太及び垂木の少なくとも一方の両側面に当接され、天井根太及び垂木の少なくとも一方の横倒を防止する一対の横倒防止板とを有してなるので、金具自体の嵩張りがなく、また金具製造が簡単であり、垂木及び天井根太の立設材への固定が確実にできる。また、作業性が良く、更には、垂木の横倒などを十分に防止することができる。
【図面の簡単な説明】
【図１】図１は本発明に係る建築用金具の底面方向から見た斜視図である。
【図２】図２は本発明に係る建築用金具が使用される天井根太の取付部分の概略図である。
【図３】図３は本発明に係る建築用金具が使用される天井根太の他の実施形態を示す取付部分の概略図である。
【図４】図４（ａ）及び（ｂ）は従来の垂木及び天井根太の取付部分を示す斜視図である。
【図５】図５（ａ）及び（ｂ）は従来の建築用金具の斜視図及びその金具が使用される天井根太の取付部分の概略図である。
【符号の説明】
１  建築用金具
２  外壁
３  頭つなぎ
４  上枠
５  天井根太
６  垂木
１１  基底板
１２  規制板
１３  横倒防止材
１４  切り欠き窓
【図１】
2004316174.tif 000003
【図２】
2004316174.tif 000004
【図３】
2004316174.tif 000005
【図４】
2004316174.tif 000006
【図５】
2004316174.tif 000007